(57)【要約】【課題】室内等にて使用される気化式加湿装置において、気化による加湿動作を擬似的に報知する加湿装置を提供することを目的とする。【解決手段】液体９を貯留した水槽１０と、液体９を撹拌する撹拌手段１１と、水槽１０内の液体９には浮遊手段１２と、本体１の外郭には浮遊手段１２が撹拌手段１１により水槽１０の底部から上部に向かって流れる様子を可視できる透過手段１４を備え、浮遊手段１２の状態は透過手段１４から可視し、気化による加湿動作を確認可能する。浮遊手段１２の流れる速さを変えて加湿量の増減を報知することができる。【選択図】図１
2013088019.tif 000002
【特許請求の範囲】
【請求項１】
吸込口と吹出口を連通し形成された空気流路に送風手段を設けた本体と、加湿する水を給水する給水タンクと、前記吹出口側に液体を貯留した水槽と、この水槽の液体を撹拌する撹拌手段と、この撹拌手段を制御する制御手段と、前記水槽内を浮遊する浮遊手段と、外部から前記浮遊手段を視認するための透過手段を備え、前記撹拌手段は水槽内の浮遊手段を水槽の底部から吹出口上部に向けて循環させ、前記浮遊手段の流れを外部から透過手段を透して視認することにより加湿装置の運転動作を報知することを特徴とする加湿装置。
【請求項２】
浮遊手段はアルミ片で形成された構成とする請求項１記載の加湿装置。
【請求項３】
浮遊手段は複数の色で形成された構成とする請求項１から２いずれかひとつに記載の加湿装置。
【請求項４】
水槽の液体は着色された構成とする請求項１から３いずれかひとつに記載の加湿装置。
【請求項５】
外部から浮遊手段を視認する透過手段は、流れる浮遊手段を拡大させる拡大手段を備えた請求項１から５いずれかひとつに記載の加湿装置。
【請求項６】
撹拌手段の回転数を変える回転変更手段を備え、制御手段は送風手段の運転風量に応じて前記回転変更手段の回転数を制御する構成とする請求項１から４いずれかひとつに記載の加湿装置。
【請求項７】
水槽の上部から浮遊手段へ向けて光を照射する照射手段を備え、制御手段は送風手段の運転、停止に応じて前記照射手段の点灯、消灯を制御する構成とする請求項１から６いずれかひとつに記載の加湿装置。
【請求項８】
水槽の上部から浮遊手段へ向けて複数の光を照射する照射手段を備え、制御手段は送風手段の運転風量に応じて前記照射手段のいずれかの光の照射を制御する構成とする請求項１から７いずれかひとつに記載の加湿装置。
【発明の詳細な説明】
【技術分野】
【０００１】
本発明は、室内等の空間を吸水したフィルターに風を通して気化させることにより加湿する加湿装置に関するものである。
【背景技術】
【０００２】
従来、この種の加湿装置の一例として、加湿槽内の水を遠心力により吸い上げた後、空気流れ中に飛散させて加湿するものが知られていた（例えば特許文献１参照）。
【０００３】
以下、加湿装置について図１０を参照しながら説明する。
【０００４】
図１０に示すように、給水タンク１０１から供給される水を加湿槽１０２に貯留し、吸水パイプ１０３の下端部を加湿槽１０２内の水に浸漬し、吸水パイプ１０３を回転させ、加湿槽１０２内の水を遠心力により吸い上げた後、ファン１０４の回転駆動により得た外部に向かう空気流れ中に飛散させて加湿する。吸水パイプ１０３は、内部に吸い上げられた水を通過させる中空糸膜１０５を有し、上部に下方に向かって除々に拡開し、中空糸膜１０５を通過した水を下方に向かって移動させた後、下方開口部より周囲に飛散させる散水カバー１０６を備える。散水カバー１０６側に、飛散して衝突した水を流下させた後、空気流れ中に滴下させ、かつ、外部より視認可能な透光性を有するガイド部材１０７とにより構成され、加湿中であるか否かを目視により確認するようにしている。
【先行技術文献】
【特許文献】
【０００５】
【特許文献１】特開２００３−１４２６２号公報
【発明の概要】
【発明が解決しようとする課題】
【０００６】
このような従来の図１０の加湿装置の可視化の技術では、気化式の加湿装置で加湿の吹出し量を可視化することはできなかった。
【０００７】
そのようなことから、加湿運転における加湿量を目視で確認できるようにすることが要求されている。
【０００８】
本発明は、上記従来の課題を解決するもので、気化式の加湿装置の加湿量を容易に報知する加湿装置を提供することを目的とする。
【課題を解決するための手段】
【０００９】
本発明の加湿装置は、上記目的を達成するために、吸込口と吹出口を連通し形成された空気流路に送風手段を設けた本体と、加湿する水を給水する給水タンクと、前記吹出口側に液体を貯留した水槽と、この水槽の液体を撹拌する撹拌手段と、この撹拌手段を制御する制御手段と、前記水槽内を浮遊する浮遊手段と、外部から前記浮遊手段を視認するための透過手段を備え、前記撹拌手段は水槽内の浮遊手段を水槽の底部から上部に向けて循環させ、前記浮遊手段の流れを外部から透過手段を透して視認することにより加湿装置の運転動作を報知する構成としたものである。
【００１０】
この手段により、水槽内を底部から吹出口上部へ向けて浮遊する浮遊手段を目視することで気化による加湿動作を確認可能にして報知することができる加湿装置が得られる。
【００１１】
また、他の手段は、浮遊手段はアルミ片で形成された構成としたものである。
【００１２】
この手段により、水槽内を底部から吹出口上部へ向けて浮遊するアルミ片を目視することで気化による加湿動作を確認可能にして報知することができる加湿装置が得られる。
【００１３】
また、他の手段は、浮遊手段は複数の色で形成された構成としたものである。
【００１４】
この手段により、水槽内を底部から吹出口上部へ向けて浮遊する浮遊手段を複数の色で目視することで気化による加湿動作を確認可能にして報知することができる加湿装置が得られる。
【００１５】
また、他の手段は、水槽の液体は着色された構成としたものである。
【００１６】
この手段により、水槽の着色された液体内を底部から吹出口上部へ向けて浮遊する浮遊手段を目視することで気化による加湿動作を確認可能にして報知することができる加湿装置が得られる。
【００１７】
また、他の手段は、外部から浮遊手段を視認する透過手段は、流れる浮遊手段を拡大させる拡大手段を備えた構成としたものである。
【００１８】
この手段により、浮遊する浮遊手段を拡大し認識を容易にすることができる加湿装置が得られる。
【００１９】
また、他の手段は、撹拌手段の回転数を変える回転変更手段を備え、制御手段は送風手段の運転風量に応じて前記回転変更手段の回転数を制御する構成としたものである。
【００２０】
この手段により、運転する加湿量に応じて撹拌手段の回転数を増減することにより水槽内を底部から吹出口上部へ向けて浮遊する浮遊手段の流れる速さが変化し、加湿量の増減を報知することができる加湿装置が得られる。
【００２１】
また、他の手段は、水槽の上部から浮遊手段へ向けて光を照射する照射手段を備え、制御手段は送風手段の運転、停止に応じて前記照射手段の点灯、消灯を制御する構成としたものである。
【００２２】
この手段により、浮遊する浮遊手段を明るく照らし認識を容易にすることができる加湿装置が得られる。
【００２３】
また、他の手段は、水槽の上部から浮遊手段へ向けて複数の光を照射する照射手段を備え、制御手段は送風手段の運転風量に応じて前記照射手段のいずれかの光の照射を制御する構成としたものである。
【００２４】
この手段により、加湿装置の運転風量に応じて複数の照射手段により浮遊する浮遊手段を照らす色を変え、照射する色と浮遊手段の流れる速さから加湿量の増減を報知することができる加湿装置が得られる。
【発明の効果】
【００２５】
本発明によれば、水槽内の浮遊手段を水槽の底部から上部に向けて流れる浮遊手段を目視することで気化による加湿動作を擬似的に確認可能にし、報知することができる加湿装置を提供できる。
【００２６】
また、浮遊する浮遊手段を拡大し認識を容易にすることができる加湿装置を提供できる。
【００２７】
また、加湿量に応じて水槽内を流れる浮遊手段の速さを変えて加湿量の増減を報知することができる加湿装置を提供できる。
【００２８】
また、浮遊する浮遊手段を照らし認識を容易にすることができる加湿装置を提供できる。
【図面の簡単な説明】
【００２９】
【図１】本発明の実施の形態１の加湿装置の構成を示す側面概略図
【図２】同実施の形態１の加湿装置の構成を示す正面概略図
【図３】同実施の形態１の加湿装置の構成を示す正面概略図
【図４】同実施の形態１の加湿装置の構成を示す正面概略図
【図５】同実施の形態１の加湿装置の構成を示す側面概略図
【図６】同実施の形態１の加湿装置の構成を示す正面概略図
【図７】同実施の形態２の加湿装置の構成を示す側面概略図
【図８】同実施の形態３の加湿装置の構成を示す側面概略図
【図９】同実施の形態４の加湿装置の構成を示す正面概略図
【図１０】従来の加湿装置の構成図
【発明を実施するための形態】
【００３０】
本発明の請求項１記載の発明は、吸込口と吹出口を連通し形成された空気流路に送風手段を設けた本体と、加湿する水を給水する給水タンクと、前記吹出口側に液体を貯留した水槽と、この水槽の液体を撹拌する撹拌手段と、この撹拌手段を制御する制御手段と、前記水槽内を浮遊する浮遊手段と、外部から前記浮遊手段を視認するための透過手段を備え、前記撹拌手段は水槽内の浮遊手段を水槽の底部から上部に向けて循環させ、この浮遊手段の流れを外部から透過手段を透して視認することにより加湿装置の運転動作を報知するようにしたものであり、浮遊手段は撹拌手段により撹拌されて水槽内を底部から吹出口上部へ向けて浮遊するという作用を有し、この浮遊手段を目視することで気化による加湿動作を確認可能にして報知することができる。
【００３１】
また、請求項２記載の発明は、浮遊手段はアルミ片で形成されたものであり、アルミ片は、撹拌手段により撹拌されて水槽内を底部から吹出口上部へ向けて浮遊するという作用を有し、このアルミ片を目視することで気化による加湿動作を確認可能にして報知することができる。
【００３２】
また、請求項３記載の発明は、浮遊手段は複数の色で形成されたものであり、浮遊手段は、撹拌手段により撹拌されて水槽内を底部から吹出口上部へ向けて浮遊するという作用を有し、この浮遊手段を複数の色で目視することで気化による加湿動作を確認可能にして報知することができる。
【００３３】
また、請求項４記載の発明は、水槽の液体は着色された構成としたものであり、浮遊手段は、水槽の着色された液体内を底部から吹出口上部へ向けて浮遊するという作用を有し、この浮遊手段を目視することで気化による加湿動作を確認可能にして報知することができる。
【００３４】
また、請求項５記載の発明は、外部から浮遊手段を視認する透過手段は、流れる浮遊手段を拡大させる拡大手段を備えた構成としたものであり、拡大手段は浮遊する浮遊手段を拡大するという作用を有し、浮遊手段の認識を容易にすることができる。
【００３５】
また、請求項６記載の発明は、撹拌手段の回転数を変える回転変更手段を備え、制御手段は送風手段の運転風量に応じて前記回転変更手段の回転数を制御する構成としたものであり、運転する加湿量に応じて撹拌手段の回転数を増減することにより水槽内を底部から吹出口上部へ向けて浮遊する浮遊手段の流れる速さが変化するという作用を有し、この浮遊手段の流れる速さから加湿量の増減を報知することができる。
【００３６】
また、請求項７記載の発明は、水槽の上部から浮遊手段へ向けて光を照射する照射手段を備え、制御手段は送風手段の運転、停止に応じて前記照射手段の点灯、消灯を制御する構成としたものであり、浮遊する浮遊手段を明るく照らすとうい作用を有し、浮遊手段の認識を容易にすることができる。
【００３７】
また、請求項８記載の発明は、水槽の上部から浮遊手段へ向けて複数の光を照射する照射手段を備え、制御手段は送風手段の運転風量に応じて前記照射手段のいずれかの光の照射を制御する構成としたものであり、加湿装置の運転状態に応じて複数の照射手段により浮遊する浮遊手段を照らす色を変えるという作用を有し、照射する色と浮遊手段の流れる速さから加湿量の増減を報知することができる。
【００３８】
以下、本発明の実施の形態について図面を参照しながら説明する。
【００３９】
（実施の形態１）
図１は本願発明における加湿装置の構成を示す側面概略図、図２は加湿装置の構成を示す正面概略図である。
【００４０】
図１および図２に示すように、本体１は吸込口２と吹出口３を連通した空気流路に送風手段４としてファンモーターと、加熱手段５として電熱ヒーターが設けられている。ポリエチレン等の樹脂からなる給水タンク６は本体１から取り外し自在に設けられている。給水タンク６の水を一定水位に貯める水受け７は、本体１の底部に設けられている。この水受け７に貯められた水に下部を浸して吸水性のあるポリエステル繊維で構成された加湿フィルター８が設けられている。また、吹出口３に向かって液体９として水を貯留した水槽１０が設けられ、水槽１０は内部の液体９を循環するように内部が壁１３で仕切られている。この水槽１０には液体９を撹拌する撹拌手段１１としてプロペラが設けられている。水槽１０内の水には浮遊手段１２として水の比重１よりわずかに重い粒状の樹脂であるポリスチレン（比重１．０３から１．０６）やＡＢＳ樹脂（比重１．０１から１．２１）が設けられている。本体１の外郭には浮遊手段１２が撹拌手段１１により水槽１０の底部から上部に向かって流れる様子を可視できる透過手段１４として透過性がありアクリル樹脂が設けられている。本体１の給水タンク６の横には、運転信号に応じて送風手段４と加熱手段５および撹拌手段１１を制御する制御手段１５が配設されている。
【００４１】
また、図３に示すように図１の構成に加えて浮遊手段１２ａは、アルミ片で形成され設けられている。
【００４２】
また、図４に示すように図１の構成に加えて浮遊手段１２ｂは複数の色を用いて形成され設けられている。
【００４３】
また、図５に示すように図１の構成に加えて液体９ａは薄い青に着色されて設けられている。
【００４４】
また、図６に示すように透過手段１４に浮遊手段１２を拡大して目視しやすくする拡大手段１６としてアクリルを使用した樹脂レンズを設けている。
【００４５】
上記構成において、給水タンク６を設置すると、給水タンク６の水は水受け７に一定水位になるまで貯められる。貯められた水により加湿フィルター８の下部は浸される。運転スイッチの（図示せず）の入力により制御手段１５は送風手段４と加熱手段５および撹拌手段１１に通電し加湿装置の運転を開始する。吸込口２から吸込まれた空気は、加熱手段５で暖められ加湿フィルター８に送風される。加湿フィルター８に浸透した水分は、加湿フィルター８を通過した気流と接触することにより気化され加湿が行われる。加湿フィルター８を通過し加湿された空気は吹出口３から本体１外へ放出される。また、運転と同時に撹拌手段１１は回転を開始する。撹拌手段１１の回転と共に水槽１０内部の液体９は本体１の透過手段１４側を水槽１０の底部から上部へ向けて移動したのち水槽１０の背面へ回り循環する。そして、この水の流れに従って浮遊手段１２も循環することとなる。透過性の透過手段１４からは本体１の底部から吹出口へ向かって移動する浮遊手段１２を可視することで気化による加湿動作を擬似的に確認することができる。
【００４６】
また、浮遊手段１２ａとしてアルミ片は、水槽１０内をアルミ片に反射した光により輝きながら本体１の底部から吹出口へ向かって移動する様子を透過性の透過手段１４から可視することで気化による加湿動作を擬似的に確認することができる。
【００４７】
また、浮遊手段１２ｂとして複数の色に着色された樹脂は、水槽１０内を様々な色が混ざりながら本体１の底部から吹出口へ向かって移動する様子を透過性の透過手段１４から可視することで気化による加湿動作を擬似的に確認することができる。
【００４８】
また、液体９として薄い青色に着色された水は、浮遊手段１２の輪郭を際立たせ本体１の底部から吹出口へ向かって移動する様子を透過性の透過手段１４から可視することで気化による加湿動作を擬似的に確認することができる。
【００４９】
また、拡大手段１６は、浮遊手段１２の視認性を向上するために形状を大きくすること無く水槽１０内を流れ易くするために浮遊手段１２を小さくした形状で、拡大手段１６により浮遊手段１２を拡大し視認性を向上し気化による加湿動作を擬似的に確認することができる。
【００５０】
（実施の形態２）
次に、本発明の実施の形態２について図面を参照しながら説明する。なお、実施の形態１と同一のものは同一番号を付し、その詳細な説明を省略する。
【００５１】
図７に示すように図１の構成に加えて制御手段１５ａは送風手段４の運転風量に応じて撹拌手段１１の回転数を変える回転変更手段１７が設けられている。
【００５２】
上記構成において、実施の形態１と同様に運転スイッチ（図示せず）の入力により制御手段１５ａは送風手段４と加熱手段５および撹拌手段１１に通電し運転を開始する。このとき選択された運転モード（弱、中、強）により制御手段１５ａの回転変更手段１７により撹拌手段１１を制御する。運転モードの弱のときは回転変更手段１７により撹拌手段１１の回転数を落とし浮遊手段１２が水槽１０内を流れる速さをゆっくりとする。運転モードが中のときには、弱より回転数を上げて浮遊手段１２が水槽１０内を流れる速さを速くする。また、運転モードが強のときにはさらに回転数を上げることにより浮遊手段１２が水槽１０内を高速に流れる。浮遊手段１２が流れる状態は、透過手段１４から可視することで気化による加湿動作を確認することができる。さらに加湿装置の運転モードにより浮遊手段１２の流れる速さから加湿量の増減を報知することが可能となる。
【００５３】
（実施の形態３）
次に、本発明の実施の形態３について図面を参照しながら説明する。なお、実施の形態１から２と同一のものは同一番号を付し、その詳細な説明を省略する。
【００５４】
図８に示すように図１から図７のいずれかの構成に加えて水槽１０の吸込口２側の上部から下方へ向けて光を照射する照射手段１８として白色ＬＥＤと制御手段１５ｂは送風手段４の運転、停止と連動して照射手段１８を制御する構成とする。
【００５５】
上記構成において、実施の形態２と同様に運転スイッチ（図示せず）の入力により制御手段１５ｂは送風手段４と加熱手段５の通電と連動し照射手段１８を点灯させ白色の光を上部から照射する。照射された光は水槽１０内部を明るく照らし浮遊手段１２を照らし出すこととなる。透過手段１４から浮遊手段１２の流れを可視することが容易となり気化による加湿動作を確認することができる。
【００５６】
（実施の形態４）
次に、本発明の実施の形態４について図面を参照しながら説明する。なお、実施の形態１から３と同一のものは同一番号を付し、その詳細な説明を省略する。
【００５７】
図９に示すように、図１から８のいずれかの構成に加えて水槽１０の吸込口２側の上部から下方へ向けて光を照射する照射手段１８ａとして白色ＬＥＤと照射手段１８ｂとして緑ＬＥＤと照射手段１８ｃとして青色ＬＥＤが設けられている。制御手段１５ｃは送風手段４の運転、停止と連動して照射手段１８ａ、１８ｂ、１８ｃを制御する構成とする。
【００５８】
上記構成において、実施の形態３と同様に送風スイッチ（図示せず）を弱に切り換えると動作信号が制御手段１５ｃに送られる。動作信号により制御手段１５ｃは送風手段４を弱運転し、連動して照射手段１８ａを点灯させ白色の光を照射する。また、送風スイッチを中に切り換えると動作信号が制御手段１５ｃに送られる。動作信号により制御手段１５ｃは送風手段４を中運転し、連動して照射手段１８ｂを点灯させ緑色の光を照射する。そして、送風スイッチを強に切り換えると動作信号が制御手段１５ｃに送られる。動作信号により制御手段１５ｃは送風手段４を強運転し、連動して照射手段１８ｃを点灯させ青色の光を照射する。加湿装置の運転状態に応じて照射手段１８ａ、１８ｂ、１８ｃにより水槽１０を照らす色を変え、照射する色から運転状態が変わったことの報知と合わせて照射する光により加湿量が変わったことの認識を容易にすることができる。
【００５９】
すなわち、浮遊手段１２を継続的に見ていなくても、照射する光の変化で、加湿量が変更されたことが容易に認識できるのである。特に照射する光により表示することで、加湿装置から離れた場所でも認識ができる。
【産業上の利用可能性】
【００６０】
水量を確認する装置等にも適用できる。
【符号の説明】
【００６１】
１      本体
２      吸込口
３      吹出口
４      送風手段
６      給水タンク
７      水受け
８      加湿フィルター
９      液体
９ａ    液体
１０    水槽
１１    撹拌手段
１２    浮遊手段
１２ａ  浮遊手段
１２ｂ  浮遊手段
１３    壁
１４    透過手段
１５    制御手段
１５ａ  制御手段
１５ｂ  制御手段
１５ｃ  制御手段
１６    拡大手段
１７    回転変更手段
１８    照射手段
１８ａ  照射手段
１８ｂ  照射手段
１８ｃ  照射手段
【図１】
2013088019.tif 000003
【図２】
2013088019.tif 000004
【図３】
2013088019.tif 000005
【図４】
2013088019.tif 000006
【図５】
2013088019.tif 000007
【図６】
2013088019.tif 000008
【図７】
2013088019.tif 000009
【図８】
2013088019.tif 000010
【図９】
2013088019.tif 000011
【図１０】
2013088019.tif 000012